(57)【要約】【課題】デザインの自由度を広げ、なおかつ操作性のよい新規な操作手段を備えた携帯端末装置を提供する。【解決手段】携帯電話機１は、受話筐体２と送話筐体３とが連結部４にて開閉可能に接続される携帯端末装置であって、受話筐体２は、閉状態にて送話筐体３に対向する第１の面Ｓ１の端部には突出部２１が形成され、送話筐体３の端部には突出部２１が入り込むとともに突出部２１に対して回動可能に連結される切り欠き部２２が形成され、突出部２１には、スイッチが内部に配されるとともにこのスイッチを押圧可能なサブキーが設けられ、  サブキーは、前記開状態にてその押圧方向が、前記メインキーの押圧方向と同じ方向となるよう突出部表面に配されている。【選択図】図８
2007116550.tif 000002
【特許請求の範囲】
【請求項１】
第１の筐体と第２の筐体とが開状態および閉状態をなすよう開閉可能に連結される携帯端末装置であって、
前記第１の筐体は、前記閉状態にて前記第２の筐体に対向する第１の面に表示部を備えるとともに、当該第１の面の端部には突出部が形成され、
前記第２の筐体は、前記閉状態にて前記第１の筐体に対向する第２の面にメインキーを備えるとともに、端部には、前記突出部が入り込むとともに当該突出部に対して回動可能に連結される切り欠き部が形成され、
前記突出部は、スイッチが内部に配されるとともに、前記スイッチを押圧可能なサブキーが設けられ、
前記サブキーは、前記開状態にてその押圧方向が、前記メインキーの押圧方向と同じ方向となるよう突出部表面に配されていることを特徴とする携帯端末装置。
【請求項２】
前記突出部表面は、前記サブキーの周囲が切り欠かれていること特徴とする請求項１に記載の携帯端末装置。
【請求項３】
前記突出部表面のうち、前記サブキーの配される部位が平面にて形成されるとともに、当該平面が前記第２の面と略平行に配されていることを特徴とする請求項１または２に記載の携帯端末装置。
【請求項４】
前記突出部は、前記サブキーの配される平面と当該平面に隣接する側面との角部が切り欠かれているとともに、前記サブキーの頂面が中央凸状の曲面にて形成されていることを特徴とする請求項３に記載の携帯端末装置。
【請求項５】
開状態における前記第１の筐体の第１の面と第２の筐体の第２の面とのなす角が、９０度より大きく、１８０度未満の範囲であることを特徴とする請求項１から４のいずれか一項に記載の携帯端末装置。
【発明の詳細な説明】
【技術分野】
【０００１】
本発明は、携帯電話機やノートパソコン等の携帯端末装置に関する。
【背景技術】
【０００２】
カメラモジュールを搭載するなど携帯電話機の機能の増加はとどまるところを知らない。このような携帯電話機では、キー数の増加がどうしても発生してしまう。元来、相手先電話番号を入力し、発呼指示するためだけであったキーも、現在ではテンキーや発呼キー以外だけではなくさまざまなキーが追加されてきている。
【０００３】
引用文献１では、キー数の増加に対する一例として、折り畳み型携帯電話において、筐体を閉じた状態、すなわち閉状態にて露出する側面にキーを設けた携帯電話機が開示される。
【特許文献１】特開２００２−２０４２９８号公報
【発明の開示】
【発明が解決しようとする課題】
【０００４】
しかしながら、筐体の側面にキーを設けることも一つの解決手段ではあるが、これだけではさまざまなユーザからのニーズや、デザイン上の自由度を狭めてしまう。例えば、キーの数を増やす必要が生じた場合、テンキーや方向キーのサイズを小さくしてスペースを作り、そこに新たなキーを配すか、もしくは筐体のサイズを大きくする他なかった。
【０００５】
本発明の目的は、デザイン上の自由度を広げ、なおかつ操作性のよい新規な操作手段を備えた携帯端末装置を提供することにある。
【課題を解決するための手段】
【０００６】
本発明の第１の観点の携帯端末装置は、第１の筐体と第２の筐体とが開状態および閉状態をなすよう開閉可能に連結される携帯端末装置であって、前記第１の筐体は、前記閉状態にて前記第２の筐体に対向する第１の面に表示部を備えるとともに、当該第１の面の端部には突出部が形成され、前記第２の筐体は、前記閉状態にて前記第１の筐体に対向する第２の面にメインキーを備えるとともに、端部には、前記突出部が入り込むとともに当該突出部に対して回動可能に連結される切り欠き部が形成され、前記突出部は、スイッチが内部に配されるとともに、前記スイッチを押圧可能なサブキーが設けられ、前記サブキーは、前記開状態にてその押圧方向が、前記メインキーの押圧方向と同じ方向となるよう突出部表面に配されていることを特徴とする。
【０００７】
また、前記突出部表面は、前記サブキーの周囲が切り欠かれていることが好ましい。
【０００８】
また、前記突出部表面のうち、前記サブキーの配される部位が平面にて形成されるとともに、当該平面が前記第２の面と略平行に配されていることが好ましい。
【０００９】
また、前記突出部は、前記サブキーの配される平面と当該平面に隣接する側面との角部が切り欠かれているとともに、前記サブキーの頂面が中央凸状の曲面にて形成されていることが好ましい。
【００１０】
さらに、開状態における前記第１の筐体の第１の面と第２の筐体の第２の面とのなす角が、９０度より大きく、１８０度未満の範囲であることが好ましい。
【発明の効果】
【００１１】
本発明によれば、デザイン上の自由度があり、なおかつ操作性を確保した新たなキー配置の携帯端末装置を提供することが出来る。
【発明を実施するための最良の形態】
【００１２】
本発明の携帯端末装置の構成を、一例を用いて図１から図１０を用いて説明する。  
図１及び図２は、本発明の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００１３】
携帯電話機１は、受話筐体（第１の筐体）２と、送話筐体（第２の筐体）３とを備えている。受話筐体２及び送話筐体３は、それぞれの端部が連結部４により連結されており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００１４】
受話筐体２は、閉状態で送話筐体３に対向する面（正面、第１の面Ｓ１）側の正面側ケース６と、その背面側の背面側ケース７とを備えている。正面側ケース６及び背面側ケース７は、例えば樹脂によりそれぞれ成形されている。受話筐体２の正面側ケース６には、通話用のスピーカ１３の放音口が開口し、背面側ケース７にはカメラモジュール用の開口窓１４、フラッシュ用の開口窓１５が開口している。
【００１５】
受話筐体２には、正面に画像を表示するメイン表示部（表示ユーザインターフェース）１１と、背面に画像を表示するサブ表示部１２とが設けられている。メイン表示部１１及びサブ表示部１２は、例えば液晶表示ディスプレイによって構成されている。メイン表示部１１は、例えば受話筐体２の正面側の面積の半分以上の面積を有し、受話筐体２の正面側の大部分はメイン表示部１１の保護カバー１１ａにより覆われている。保護カバー１１ａは、例えばアクリル板により形成されている。
【００１６】
送話筐体３は、閉状態で受話筐体２に対向する面（正面、第２の面Ｓ２）側の正面側ケース８と、その背面側の背面側ケース９と、背面側ケース９の背面側に被せられる蓋体１０とを備えている。正面側ケース８、背面側ケース９及び蓋体１０は、例えば樹脂によりそれぞれ成形されている。送話筐体３の正面側ケース８には通話用のマイクの集音口１８が開口し、蓋体１０には報知用スピーカの放音口１９が開口している。なお、特に図示しないが、通話用のマイクの集音口１８近傍の内部、すなわち送話筐体３内における連結部４との反対側には、内蔵式の第１アンテナが配されている。
【００１７】
送話筐体３には、ユーザの操作を受け付けるメインキー部（操作ユーザインターフェース）１７が設けられている。メインキー部１７には、例えばテンキー１７ａ、カーソルキー１７ｂ、ファンクションキー１７ｃ等の各種ボタンが配置されており、正面側ケース８より露出するようになっている。なお、メインキー部１７の各種ボタンは連続（隣接）して設けられており、各種ボタン間には、各種ボタンを互いに隔離する仕切り（フレーム）は配置されていない。すなわち、正面側ケース８のキー配置領域には、一つの開口部８ａが設けられ、当該開口部８ａからキー１７ａ〜１７ｃが露出している。
【００１８】
図３は、開状態の携帯電話機１の連結部４付近を正面側から見た図であり、図４は、開状態の携帯電話機１の連結部４付近を背面側から見た図であり、図５は、閉状態の携帯電話機１の連結部４付近を受話筐体２及び送話筐体３の対向面に平行に見た図であり、図６は、閉状態の携帯電話機１の連結部４付近を示す断面図である（図２（ａ）のVI−VI線矢視方向の断面図）である。
【００１９】
図３〜図５に示すように、連結部４は、受話筐体２の一端から突出した突出部２１が送話筐体３の一端に設けられた切り欠き部２２に嵌入されるとともに、軸部材２３が切り欠き部２２の壁部及び突出部２１に挿通されて構成されており、受話筐体２及び送話筐体３は軸部材２３を回転軸として互いに回転可能である。突出部２１は段部２５から突出しており、段部２５の一部を成している。図６に示すように、閉状態において、段部２５は切り欠き部２２に連続する窪み部２７に収納され、第１の面Ｓ１と第２の面Ｓ２とは、段部２５の裾野部分の第１の面Ｓ１からの高さよりも少ない間隔で面している。なお、第１の面Ｓ１と第２の面Ｓ２とのクリアランスは、例えば第１の面Ｓ１及び第２の面Ｓ２のうち一方に設けられた突起部１１ｂが第２の面に当接することにより保たれる。突起部１１ｂは、この例では図１ではスピーカ１３の放音口の両脇に設けられたゴム製の凸状部材により構成される。
【００２０】
図３〜図６に示すように、突出部２１は、受話筐体２の第１の面Ｓ１側に設けられている。突出部２１及び段部２５は、例えば樹脂等により正面側ケース６と一体的に形成されている。突出部２１は、回転軸方向において受話筐体２の端部中央に一つ設けられ、回転軸周りの半円筒状に概ね形成されている。突出部２１の第１の面Ｓ１からの突出量は、例えば送話筐体３の厚さと同等又はそれよりも若干小さく設定されており、開状態や閉状態において送話筐体３の正面や背面から突出部２１が突出するなどしてデザイン性が損なわれることが防止されている。突出部２１の回転軸方向の長さＬ１は比較的長く設定されている。例えば受話筐体２及び送話筐体３の幅の５割〜７割に設定されている。
【００２１】
段部２５の裾野部分は、例えば直方体状に形成され、第１の面Ｓ１よりも一段高く形成されている。回転軸方向において、段部２５の裾野部分の幅は突出部２１の幅と同等に設定されている。なお、突出部２１は切り欠き部２２に入り込んで嵌合挿入可能であるから、段部２５の裾野部分の幅は切り欠き部２２の幅よりも小さい。回転軸方向に直交する方向において、段部２５の裾野部分の幅は突出部２１の幅よりも大きく設定されており、突出部２１は、段部２５の筐体端部寄りの位置から突出している。なお、保護カバー１１ａは連結部４側にて切り欠かれており、正面側ケース６に設けられた段部２５がこの切り欠き部から突出するよう形成されている。段部２５の第１の面Ｓ１からの高さは、閉状態における第１の面Ｓ１と第２の面Ｓ２との距離よりも大きく設定されている。
【００２２】
切り欠き部２２は、第２の面Ｓ２に直交する方向に見て、突出部２１と略同等の大きさの略矩形に形成され、送話筐体３の端部中央に位置している。図６に示すように、突出部２１の回転軸周りの外周面と切り欠き部２２の回転軸周りの壁面２２ａとの間には微小な隙間があり、突出部２１の切り欠き部２２に対する回転が許容されている。
【００２３】
なお、後述するが、突出部２１の先端表面には、開状態において第２の面Ｓ２とほぼ平行になる平面２１ａを形成してある。ここにはサブキー６０が設けられる。（サブキー６０の記載される部位の断面の図であると平面２１ａを示せないため、ここではサブキー６０は図示されない。）このサブキー６０は後述する図９に示すように、ユーザが指で押圧する面の中央が凸形状をなしているが、その頂点部分も突出部２１が切り欠き部２２内で回転する際に壁面２２ａに接触しないよう、頂点部分の回転軸からの距離が、突出部２１における他の表面部分と同じもしくはそれ以下に設定されており、すなわちサブキー６０部分についても回転半径が同じになるよう構成してある。
【００２４】
一方、図３〜図５に示すように、突出部２１の回転軸に直交する端面２１ｂと、切り欠き部２２の突出部２１を挟み込む壁面２２ｂとは互いに当接しており、これらの面は携帯電話機１の開閉の際には摺動する。
【００２５】
窪み部２７は、切り欠き部２２とメインキー部１７との間の領域において、第２の面Ｓ２に対して凹となるように形成されている。窪み部２７は、例えば、図６に示すように、送話筐体３の正面側ケース８の連結部４側の端部が凹状に形成されるとともに、当該凹部にアルミニウム等の導電板３１が被せられて構成されている。導電板３１により、後述するカメラモジュール３３からのノイズやカメラモジュールへ浸入するノイズが遮断される。ただし、導電板３１に代えて導電塗料を塗布してもよい。これらの導電部を基準電位ラインに導通させておけば、メインキー部１７に帯電した指がのっても基準電位ラインに静電気をアースすることもできる。なお、正面側ケース８を凹状に形成するのみとし、シールドのための導電板等を設けないようにしてもよい。
【００２６】
窪み部２７は、図６に示すように、メインキー部１７側から切り欠き部２２側へ徐々に窪みが深くなるように形成されており、窪み部２７に隣接するカーソルキー１７ｂやファンクションキー１７ｃのキー表面から自然なスロープを形成するように設けられている。換言すれば、メインキー部１７側の第２の面Ｓ２に対する窪み量が切り欠き部２２側の第２の面Ｓ２に対する窪み量よりも小さくなっている。
【００２７】
窪み部２７は、図３に示すように、第２の面Ｓ２に直交する方向に見て、切り欠き部２２側からメインキー部１７側へ幅広となる略台形状に形成されている。窪み部２７の切り欠き部２２側の幅は切り欠き部２２と同等であり、窪み部２７のメインキー部１７側の幅は、メインキー部１７の窪み部２７側の幅と同等である。従って、回転軸方向における、切り欠き部２２の両端、窪み部２７の両端、及び、メインキー部１７（テンキー１７ａ等を露出させている送話筐体３の開口部）の両端は、連続したラインＬＮ１をなしている。換言すれば、これらの両端の間には段差が設けられていない。例えば、切り欠き部２２においては平行に伸び、切り欠き部２２と窪み部２７との境界付近からメインキー部１７へかけては、徐々に互いの間隔を広げるように滑らかな曲線状に伸びている。
【００２８】
なお、突出部２１及び段部２５の突出量の基準及び窪み部２７の窪み量は、例えば受話筐体２及び送話筐体３を閉じたときに、外部から見える合わせ面を基準として特定することができる。例えば、突出部２１及び段部２５の突出量の基準ＳＴ１は、例えばメイン表示部１１の保護カバー１１ａにより規定できる。また、窪み部２７の窪み量の基準ＳＴ２は、例えばメインキー部１７の周囲部分８ｓ（図３参照）によって規定できる。
【００２９】
軸部材２３は、図３及び図６に示すように、例えば円筒状部分を含んで構成されており、突出部２１の端面２１ｂに開口する孔部２１ｄと、切り欠き部２２の壁部２２ｂに開口する孔部２２ｄとに挿通されている。軸部材２３は、切り欠き部２２及び突出部２１のうち少なくとも一方に対して軸支されている。なお、軸部材２３は、突出部２１の両端面２１ｂに対応して２つ設けられるが、図３では一方のみを図示している。２つの軸部材２３のうち一方には、受話筐体２と送話筐体３とを電気的に接続する信号線２９が挿通されている。なお、２つの軸部材２３のうち他方には、開閉の際のクリック感を生じさせるクリック機構が設けられている。
【００３０】
図６に示すように、受話筐体２の連結部４側の端部にはカメラモジュール３３が設けられている。カメラモジュール３３は、受話筐体２の開口窓１４からの光を受光して撮像する。カメラモジュール３３は、第１の面Ｓ１に直交する方向から見て段部２５よりも若干小さく形成されており、カメラモジュール３３の背面３３ａは、段部２５に収納されることにより、第１の面Ｓ１よりも送話筐体３側に突出した位置に配置される（図５も参照）。なお、カメラモジュール３３は、突出部２１の根元側において第１の面Ｓ１から送話筐体３側に突出しているから、カメラモジュール３３の一部が突出部２１に収納されていると捉えることもできる。
【００３１】
図７は、受話筐体２の正面側ケース６からカメラモジュール３３を取り外して示す分解斜視図である。なお、図７の紙面奥手方向が図１の紙面手前方向である。
【００３２】
カメラモジュール３３は、略直方体状の筐体３５を備えている。筐体３５には、筐体３５の略半分の大きさを有する開口窓３５ａが開口しており、筐体３５の開口窓３５ａ側の略半分の領域には、光学モジュールが収納されている。光学モジュールは、開口窓３５ａから露出するレンズ３６を含む光学レンズ、当該光学レンズの光路を開閉する不図示のメカニカルシャッタ、光学レンズからの光が結像するＣＣＤやＣＭＯＳ等の不図示の撮像素子を備えている。また、筐体３５の開口窓３５ａと反対側の略半分の領域には、光学モジュールのメカニカルシャッタ等を駆動する不図示のアクチュエータが収納されている。
【００３３】
カメラモジュール３３は、箱状のシールドケース３７に収納されるとともに、送話筐体３内部の不図示の基板等に電気的に接続するためのフレキシブルプリント配線板（ＦＰＣ）３８が接続されている。なお、シールドケース３７は、カメラモジュール３３の撮像素子へのノイズの混入等を防止するためにカメラモジュール３３に取り付けられるものであるから、カメラモジュール３３の一部として捉えてもよい。
【００３４】
正面側ケース６には、カメラモジュール３３を固定するための複数の板状のリブ３９が正面側から背面側（筐体内部側）へ突出している。カメラモジュール３３は、リブ３９間に嵌合挿入されて正面側ケース６に対して固定される。
【００３５】
また、カメラモジュール３３は、段部２５の内側面２５ａと、突出部２１内に設けられたホルダ４１とに対して背面を対向させて配置され（図６も参照）、開口窓３５ａ側から背面側ケース７が被せられることにより、正面側ケース６及び背面側ケース７に対して固定される。
【００３６】
ホルダ４１は、カメラモジュール３３の背面が当接する当接部４１ａと、当接部４１ａを支持する支持部４１ｂと、支持部４１ｂの先端かつ当接部４１ａの反対側には後述するスイッチ載置部４１ｄを備えている。当接部４１ａは、例えば段部２５の内側面２５ａに略平行かつ連続する板状体により構成され、支持部４１ｂは、例えば当接部４１ａに直交するとともに回転軸に対して平行な２つの板状部により構成されている。支持部４１ｂは、突出部２１の内側面に当接して当接部４１ａを支持している。さらに支持部４１ｂは係止部４１ｃが形成されており、ボルダ４１が突出部２１に挿入された際にその内側面の係止凹部２１ｅに嵌まり込んで係止し、組立工程上でのホルダ４１の抜けを防止する。なお、当接部４１ａ及び２つの支持部４１ｂ、さらにスイッチ載置部４１ｄにより形成される空隙には軸部材２３および図示していない側の軸部材が挿通されている。さらにこの二つの軸部材間にてバイブレータ用のモータなどの電子部品がホルダ４１に固定される。ホルダ４１の前述した内側面への固定により、このバイブレータの振動が携帯電話機１全体に伝えることが出来る。
【００３７】
図６に示すように、送話筐体３の背面側ケース９は、バッテリー収納空間ＢＳ等の各種電子部品の収納空間を形成するように、筐体内部側及び外部側の面に複数のリブを有して形成されており、蓋体１０はバッテリー収納空間ＢＳを含む筐体外部側の収納空間を覆うように背面側ケース９に被せられている。
【００３８】
背面側ケース９の筐体内部側には、不図示の高周波回路等が設けられるメイン基板４５が載置されている。メイン基板４５には高周波回路等をシールドするシールドケース（不図示）が被せられ、シールドケース上には複数の押圧スイッチ（不図示）が設けられたキーＦＰＣ４６が設けられている。キーＦＰＣ４６上には押圧スイッチを押圧するためのキーシート４７が配置されている。キーシート４７上には正面側ケース８が被せられ、キーシート４７はキーＦＰＣ４６と正面側ケース８に挟まれて固定されている。キーシート４７は、例えばシリコンで形成されている。
【００３９】
キー１７ａ〜１７ｃはキーシート４７に対して接着剤等により固定されている。ユーザはキー１７ａ〜１７ｃを押圧操作することにより、キーシート４７を介してキーＦＰＣ４６の押圧スイッチを押圧可能となっている。なお、メインキー部１７は、キー１７ａ〜１７ｃ、キーシート４７、キーＦＰＣ４６により構成されている。
【００４０】
図３に示す信号線２９の受話筐体２側は、例えばメイン表示部１１を制御するための基板等を介してカメラモジュール３３のＦＰＣ３８と接続されている。また、信号線２９の送話筐体３側は、例えばメイン基板４５（図６参照）に接続されている。メイン基板４５にはメインキー部１７からの信号に基づいて各種の制御信号を出力する不図示のＣＰＵが設けられている。従って、信号線２９は、例えば、メインキー部１７からの信号を、メイン基板４５のＣＰＵを介してカメラモジュール３３に伝送する。
【００４１】
図３及び図５に示すように、送話筐体３には、電波を送受信するための第２アンテナ４３が内蔵されている。第２アンテナ４３は、送話筐体３の連結部４側の端部であって、突出部２１を挟み込む部分に配置されている。従って、第２アンテナ４３は、閉状態において、少なくとも連結部４の回転軸方向にて段部２５と重ならない。なお、第１アンテナは当初より連結部４とは離れた箇所に位置しているため、当然ながら閉状態にて連結部４とは重ならない。第１および、第２アンテナ４３は、送受話やメールの送受信等に用いられ、いずれが常時利用されるメインアンテナであってもサブアンテナであってもよい。
【００４２】
次に、サブキー６０の構成について図８および図９を用いて説明する。図８および図９は開状態を示しており、クリック機構を有する側の軸部材にて、音声通話の際にユーザの耳と口にフィットするように、第１の面Ｓ１と第２の面Ｓ２のなす角度が９０度より大きく１８０度未満の範囲で配されるように、第１の筐体２と、第２の筐体３とが係止するようになっており、好ましくは第１の面Ｓ１と第２の面Ｓ２とのなす角度が１６０度から１７０度程度とするのがよい。
【００４３】
前述したように突出部２１の先端表面２１ｃには、第２の面Ｓ２とほぼ平行になる平面２１ａが形成されている。この、平面２１ａは、第１の面Ｓ１に対し、若干（１０から２０度程度）傾けて形成してあり、ここにはサブキー６０が３つ設けられる。（図３では軸部材２３周辺の構成を図示するためにサブキーは２つのみを示した。）また、平面２１ａと隣接しかつ両端の壁面２１ｄに挟まれる側面２１ｆと、平面２１ａとにより構成される角部を切り欠いて多面構成あるいは曲面構成としている。さらに、この平面２１ａを含む突出部表面２１ｃには、表面を切り欠くことにより略小判状の凹面６１が３つ形成される。そしてこの凹面６１の中央に、同じく小判状のサブキー６０がそれぞれ配される。
【００４４】
図９（ａ）および（ｂ）は、サブキー６０の概略を示す断面図である。さらに図１０は、保護カバー１１ａの取り付けられた状態の受話筐体２の正面側ケース６に、サブキー６０とホルダ４１を組み込むときの構成を示した図である。これらの図を用いて、サブキー６０周辺の構成を説明する。
【００４５】
突出部２１内のサブキー６０の下部に対応する箇所には、タクトスイッチ６２が、ホルダ４１のスイッチ載置部４１ｄに乗せられる形で固定されている。サブキー６０の表面に露出している押圧面（ユーザの押圧する面）の反対側の面には、タクトスイッチ６２を押圧する押し子（図示略）が設けられており、サブキー６０の押圧状態ではタクトスイッチ６２を押圧し、スイッチを通電させる。また、前述のようにサブキー６０は押圧面の中央が凸形状をなすよう曲面にて構成されているが、頂点部分の回転軸中心からの距離が、突出部２１における他の表面部分と同じもしくはそれ以下に設定されている。突出部先端表面は、回動時に切り欠き部２２に干渉しないよう角部が切り欠いて断面を軸部材の回転軸を中心として略円弧状に構成した上に、その一部に平面２１ａを形成してある（図６参照）。すなわち、この平面２１ａが形成されていない場合には、図９（ｂ）に破線Ｒにて示すようにおり、サブキー６０は非押圧状態において、この略円弧形状から突出しない範囲内にその突出量が調整されている。これにより、凸形状の頂点部分も携帯電話機１が開状態と閉状態を移行するよう回動する際に壁面２２ａに接触しない。また、小判状の凹部６１を設けることにより、押圧時にユーザの指の腹が凹部６１にまで入り込むため、少ない突出量でもキーストロークを確保することができる。組み込みの手順としては、図１０に示すように、まず、バイブレータなどの電子部品を組み込んだホルダ４１のスイッチ載置部４１ｄに、スイッチ６２を取り付ける。次に、突出部２１の内側からサブキー６０（この例では３つが連なって一体構成される）を小判状の凹部６１中央に設けた開口から押圧面が露出するように挿入し、その後に、スイッチ６２を取り付けたホルダ４１を嵌入する。嵌入されると、係止辺４１ｃが
また、平面２１ａに平行になるようにスイッチ載置部４１ｄを当接部４１ａに対して傾けてホルダ４１を構成しており、ここにタクトスイッチ６２が配され、このタクトスイッチ６２を真下に押圧できる位置にサブキー６０が設けられている。また、サブキー６０はタクトスイッチ６２と平行、つまり第２の面Ｓ２に対し、１０から２０度傾けて設けることになる。タクトスイッチ６２は、真下に押し下げることにより通電させるスイッチであるため、サブキー６０のストロークは、タクトスイッチ６２との平行な面を直交する方向である方向Ｘとなる。なお、送話筐体３側において、第２の面Ｓ２とメイン基板４５と押圧スイッチとキーシート４７とメインキー部１７はそれぞれ平行に設けられ、この平行面を直交する方向にキーのストロークする方向Ｙが与えられていることが知られている。すなわち、携帯電話機１が開状態になると、平面２１ａと第２の面Ｓ２とがメインキー部１７とサブキー６０の押圧方向（ストローク方向）である、方向Ｘと方向Ｙが平行になる。これによっても、押圧ストロークに関してもその操作感がメインキー１７とサブキー６０とで同一に近づけることが出来、より自然な操作をユーザに与えることが出来る。また、平面２１ａを第２の面と略平行にしたこともまた、ユーザにとって、メインキー１７とサブキー６０とでの同じ指による操作の際に、第２の面Ｓ２を基準とした面上からのサブキー６０操作時の移動量が少なくて済むため、ユーザにとっての自然な操作感につながる。
【００４６】
さらに、サブキー６０の凸部の頂点は、携帯電話機１が閉状態になった際には、図２の（ｂ）に示されるように、蓋体１０のなす平面から飛び出さないよう構成される。これにより、このサブキー６０が露出するように構成できるとともに、飛び出さないがゆえに、ユーザの意思でサブキー６０を押圧しない限りは、卓上載置したときなどに自重でサブキー６０を押圧してしまうことなどがなくなる。
【００４７】
また、上述したように、送話筐体３は、閉状態のときに、連結部４の回転軸方向にて連結部４と重ならない位置に通信を行うための第２アンテナ４３を内蔵するため、タクトスイッチ６２を含む金属部品による電波干渉がない。
【００４８】
また、第２の面Ｓ２におけるラインＬＮ１に沿ってテンキー１７ａやファンクションキー１７ｃが配列されて、さらにその面と略平行面にサブキー６０が配されることから、キーの位置を指により感知することが容易になり、ひいてはキー操作が容易になる。例えば、ラインＬＮ１に沿って指を滑らせてラインＬＮ１沿いのキーに対して指を当接させることができ、さらに、この際、窪み部２７の窪みを指により感知してメインキー部１７の連結部４側の境界線を認識することができる。これにより、ブラインドタッチも容易になるばかりでなく、この窪み部２７により、連結部４に設けられたサブキー６０とメインキー部１７との境界線を指の腹で知ることも出来る。
【００４９】
本発明は以上の実施形態に限定されず、種々の態様で実施してよい。
【００５０】
本発明の携帯端末装置は、第１筐体の突出部及び送話筐体３の切り欠き部により開閉可能に連結され、第１筐体にカメラモジュールが設けられるものであればよい。従って、携帯電話機に限定されず、例えばノートパソコンでもよいし、ＰＤＡでもよい。
【００５１】
また、開状態を１６０から１７０度として例を示したが、これに限定されるものではなく、メインキー部１７との操作性の連続感を得られるのであれば、受話筐体２及び送話筐体３の開度（第１の面Ｓ１と第２の面Ｓ２のなす角度）が、９０度を超え、１８０度未満の状態であればよい。
【００５２】
段部２５及び窪み部は必ずしも必要ではない。例えば、連結部を構成する切り欠き部よりもカメラモジュールが小さい場合には、段部によりカメラモジュール全体を収納するとともに、段部全体を切り欠き部に挿入して連結部を構成するようにし、窪み部を省略してもよい。
【００５３】
メインキー部１７は、複数のキーが連続して配置されているもの（キー間に仕切りがないもの）に限定されない。従って、各キーが一つずつ仕切られていてもよいし、各キーが所定のグループ毎に仕切られていてもよい。ただし、キー間の仕切りを排除した場合、仕切りを排除した分だけキーメインキー部を縮小したり、キーを大きくすることができる。
【００５４】
なお、キー間の仕切りを排除した場合、キーの位置を指先で感知することが困難になることがあり得る。しかし、窪み部や連続したライン（ＬＮ１）を設け、キーの配置領域の境界を指先で感知可能とすることにより、この問題は解決される。例えば、窪み部に離間する方向へ、少なくとも２つのキーが連続して配列されている場合、窪み部を指先で感じ取ることにより、キーの窪み部側の境界を認識することができ、ひいては当該キーに連続するキーの位置も把握できる。
【図面の簡単な説明】
【００５５】
【図１】本発明の実施形態の携帯電話機を開状態で示す外観斜視図。
【図２】（ａ）（ｂ）は、図１の携帯電話機を閉状態で示す外観斜視図。
【図３】図１の携帯電話機の連結部付近を開状態で示す正面側から見た斜視図。
【図４】図１の携帯電話機の連結部付近を開状態で示す背面側から見た斜視図。
【図５】図１の携帯電話機の連結部付近を閉状態で示す連結部側から見た図。
【図６】図２のVI−VI線矢視方向における断面図。
【図７】カメラモジュールを取り外した状態を示す分解斜視図。
【図８】図１の携帯電話機の連結部付近を開状態で示す斜視図。
【図９】（ａ）（ｂ）は、サブキーの概略構成を示す断面図。
【図１０】図１の携帯電話機へのサブキーの取り付け構成を示す図。
【符号の説明】
【００５６】
１…携帯電話機、２…第１の筐体、３…第２の筐体、４…連結部、１７…メインキー部、２１…突出部、２５…段部、２２…切り欠き部、２７…窪み部、３３…カメラモジュール、４１…ホルダ、６０…サブキー、６１…凹面、６２…タクトスイッチ
【図１】
2007116550.tif 000003
【図２】
2007116550.tif 000004
【図３】
2007116550.tif 000005
【図４】
2007116550.tif 000006
【図５】
2007116550.tif 000007
【図６】
2007116550.tif 000008
【図７】
2007116550.tif 000009
【図８】
2007116550.tif 000010
【図９】
2007116550.tif 000011
【図１０】
2007116550.tif 000012